(57)【特許請求の範囲】
【請求項１】
側壁に形成された穴から突出して設けられた側壁型の消火用スプリンクラヘッドを覆うスプリンクラヘッドカバーであって、
前記側壁または前記スプリンクラヘッドに取付可能に構成され、かつ中央部に前記スプリンクラヘッドの挿通開口を有する取付部材と、
該取付部材に低融点合金により接着されて、前記スプリンクラヘッドを覆うカバー部材とを備え、
前記取付部材の下部に、前記側壁型の消火用スプリンクラヘッドから放水される消火水を通すための開口を設け、放水時に下側方向の散水を高めることを特徴とするスプリンクラヘッドカバー。
【請求項２】
前記取付部材を円板部と、該円板部の内周縁から起立する複数の垂直片とから形成したことを特徴とする請求項１記載のスプリンクラヘッドカバー。
【請求項３】
前記取付部材にカバー固定部材を介して低融点合金によりスプリンクラヘッドを覆うカバー部材を接着することを特徴とする請求項１又は請求項２記載のスプリンクラヘッドカバー。
【発明の詳細な説明】
【０００１】
【発明の属する技術分野】
本発明は消火用スプリンクラヘッドのヘッドカバーに関するものである。
【０００２】
【従来の技術】
消火用スプリンクラヘッドには、天井に設置されるもの以外に、側壁に設置される側壁型のスプリンクラヘッドがある。またスプリンクラヘッドには、外力等に備えてカバーをつける場合があり、このスプリンクラヘッドカバーは既に数多く知られている（例えば特公昭５２−１２３９号）。
【０００３】
【発明が解決しようとする課題】
側壁型のスプリンクラヘッドは側壁に設置されるので、天井に設置されるスプリンクラヘッドに比べ、取付られる高さ位置が低く、ヘッドのフレーム部分などに物を引っかける等の悪戯が行われやすい。このような事情にも関わらず、側壁型スプリンクラヘッドは施工需要が極めて少ないという理由もあり、今までに知られてきたスプリンクラヘッドカバーは、天井に設置されるスプリンクラヘッドを対象にしたものであり、側壁型用のスプリンクラヘッドカバーはなかった。
【０００４】
そこで本発明は、側壁型スプリンクラヘッド用のスプリンクラヘッドカバーを得て、スプリンクラヘッドに悪戯等が行われるのを防止することを目的とする。
【０００５】
【課題を解決するための手段】
本発明は上記の課題を解決するためになされたもので、側壁に形成された穴から突出して設けられた側壁型の消火用スプリンクラヘッドを覆うスプリンクラヘッドカバーであって、前記側壁または前記スプリンクラヘッドに取付可能に構成され、かつ中央部に前記スプリンクラヘッドの挿通開口を有する取付部材と、該取付部材に低融点合金により接着されて、前記スプリンクラヘッドを覆うカバー部材とを備え、前記取付部材の下部に、前記側壁型の消火用スプリンクラヘッドから放水される消火水を通すための開口を設け、放水時に下側方向の散水を高めることを特徴とするものである。
【０００６】
【発明の実施の形態】
実施形態１
図１は本発明のスプリンクラヘッドカバー１の断面図である。図１において、Ｓは、感熱作動機構として例えばグラスバルブやヒュージブルリンク機構を有するスプリンクラヘッドで、側壁２のスプリンクラヘッドＳの対応する位置には、ヘッドＳの外径より大径の穴３が設けられる。５は金属製の取付部材で、中央に穴３よりも大径のヘッドＳが挿通する開口を有する円板部７と円板部７の内周縁に設けられた筒部８とからなり、ねじ６等を用いて側壁２に取付可能に構成される。
【０００７】
１１は金属製の有底筒体からなるカバー部材で、側方にほぼ椀状に膨らんだ膨出部１２と、膨出部１２の周縁に設けられた筒部１３とからなり、取付部材５に取り付けられることで、スプリンクラヘッドＳを覆って、側壁２の穴３を隠す。
【０００８】
取付部材５の筒部８とカバー部材１１の筒部１３は互いに嵌合できる大きさに設計されればよく、図のように必ずしもカバー部材１１の筒部１３の径の方を大きくする必要はない。また筒部８、及び筒部１３の高さは、両者を取り付けた時、スプリンクラヘッドＳの側壁２からの突出量をカバーできる程度の高さがあればよい。
【０００９】
筒部８と筒部１３の間には、低融点合金としての半田１５が設けられ、この半田１５によりカバー部材１１は取付部材５に接着固定される。なお半田１５は筒部８の外周面全てに接着される必要はなく、接着面は、筒部８の外周面と筒部１３の内周面間に、例えば２箇所程度設ければよい。なお半田１５の融点は、スプリンクラヘッドＳの動作温度よりも小さくすることが望ましい。
【００１０】
１６はカバー部材１１を落下させる方向に付勢されたバネで、スプリンクラヘッドＳのデフレクタＤとカバー部材１１の間に設けられる。
【００１１】
このスプリンクラヘッドカバー１は、カバー部材１１が半田１５によって取付部材５に固定されているので、火災が発生しない限り落下することはない。このため、通常時においては外力からスプリンクラヘッドＳを完全に防護できる。また、スプリンクラヘッドＳは外部に露出していないので、スプリンクラヘッドＳに悪戯等が行われることを防止できる。
【００１２】
次に火災が発生し、スプリンクラヘッドカバー１が落下する場合について説明する。火災が発生し熱気流が発生すると、半田１５が溶融する。これによりカバー部材１１の取付部材５への固定が解除され、カバー部材１１はバネ１６によって図面左方向に弾かれて、下方に落下する。このカバー部材１１が落下した状態において、スプリンクラヘッドＳに更に熱気流が当たると、スプリンクラヘッドＳのグラスバルブが膨張破裂し、その結果、放水が開始されることになる。
【００１３】
実施形態２
実施形態１のスプリンクラヘッドカバー１において、取付部材５を側壁２にではなく、スプリンクラヘッドＳに取り付けるようにしてもよい。またカバー部材１１を取付部材５に直接取り付けずに、後述するカバー固定部材を介して取り付けるようにしてもよい。このようにした場合の実施形態を図２に示す。
【００１４】
図２はスプリンクラヘッドカバー１Ａの断面図を示し、図において図１と同じ部分には同じ符号を付けて説明を省略する。５Ａは例えば樹脂等から形成された取付部材で、内径がスプリンクラヘッドＳのフランジ部Ｆとほぼ同径の筒部８Ａと、筒部８Ａの先端外周に形成された円板部７Ａとからなる。
【００１５】
筒部８Ａの内面には、例えば雌ねじが形成されており、またスプリンクラヘッドＳのフランジ部Ｆには、外周に雄ねじが設けられており、この雌ねじと雄ねじにより取付部材５ＡはスプリンクラヘッドＳに取り付けられる。
【００１６】
１１ＡはスプリンクラヘッドＳを覆う金属製のカバー部材である。カバー部材１１Ａは、略半球状に形成され、その外径は円板部７Ａの外径と略同じになるように形成される。１７は略く字状の金属製のカバー固定部材で、円板部７Ａの下面（図の左側面）とカバー部材１１Ａの内面間に設けられ、半田１５を付着することで、カバー部材１１Ａを円板部７Ａに取り付ける。
【００１７】
１８はシーリングプレートで、内部に筒部８Ａが嵌合される穴を有する円板部１９と、円板部１９から外側に向かって拡径される傾斜部２０とから形成され、スプリンクラヘッドＳと側壁２の間の穴３を隠すものである。
【００１８】
カバー部材１１ＡのスプリンクラヘッドＳへの取付けは、まず取付部材５Ａに上方（図の右側）からシーリングプレート１８を被せ、その取付部材５Ａの筒部８Ａにシーリングプレート１８の円板部１９を嵌合させる。そしてその状態を維持させたままスプリンクラヘッドＳに取付部材５Ａの筒部８Ａをヘッドの先端側からねじ込んで取付ける。
【００１９】
それからカバー部材１１Ａの内面にカバー固定部材１７の一端を半田１５を接着して取付け、カバー部材１１Ａの中にバネ１６を入れる。そしてカバー固定部材１７の他端と取付部材５Ａの円板部７Ａを接着材等により取り付ける。なお取付部材５Ａを金属製で形成する場合には、円板部７Ａとカバー固定部材１７の接続は半田１５を使用できる。
【００２０】
このスプリンクラヘッドカバー１Ａにおいても、カバー部材１１Ａは半田１５によって取付部材５Ａに固定されているので、火災が発生しない限り落下することはない。このため、通常時においては外力からスプリンクラヘッドＳを完全に防護でき、また、スプリンクラヘッドＳは外部に露出していないので、スプリンクラヘッドＳに悪戯等が行われることを防止できる。なお火災が発生し、スプリンクラヘッドカバー１Ａが落下する場合については実施形態１と同じなので説明を省略する。
【００２１】
実施形態３
なお実施形態１、２において、取付部材５、５Ａの筒部８，８Ａは必ずしも筒状である必要はなく、例えば筒状にする代わりにそれぞれの円板部７，７Ａの内周縁から複数の垂直片を起立させる構造にしてもよい。このように筒部８，８Ａを垂直片で構成するか、または筒部８，８Ａの少なくとも下部に孔もしくは溝を設けることにより、筒部８，８Ａの下部に開口部を設けることが上記実施形態においては望ましい。これは、スプリンクラヘッドＳの放水時に、下側方向の散水を高めることが可能になるためである。なお実施形態２の筒部８Ａに下部開口を設ける場合には、それに対応するように傾斜部材２０にも下部に開口を設けることが好ましい。
【００２２】
本発明においては以上の実施形態に限定されるものではなく、例えば、円板部７、７Ａは中央に穴を有するドーナツ状であればよく、その外形が円形でなくてもよい。またカバー部材１１、１１Ａや取付部材５、５Ａ及び傾斜部材２０に複数の小孔をあけて、熱気流をカバー部材内に入りやすくして、スプリンクラヘッドの動作を早めるようにしてもよい。
【００２３】
【発明の効果】
本発明は以上に説明したように構成され、取付部材の下部に開口を設けることで、スプリンクラヘッドから放水が行われる際、その開口を通って消火水が下側に散水されるので、スプリンクラヘッドの散水分布が高まる。言い換えれば、取付部材などが散水障害物とならない。
【図面の簡単な説明】
【図１】本発明のスプリンクラヘッドカバーの断面図である。
【図２】本発明の第２の実施形態のスプリンクラヘッドカバーの断面図である。
【符号の説明】
１，１Ａ  スプリンクラヘッドカバー、  ２  側壁、  ３  穴、
５，５Ａ  取付部材、  ７，７Ａ    円板部、  ８，８Ａ  筒部、
１１，１１Ａ  カバー部材、  １２  膨出部部、  １３  筒部、  １５  半田、
１６  バネ、  １７  カバー固定部材、  １８  シーリングプレート、
１９  円板部、  ２０  傾斜部、
Ｓ  スプリンクラヘッド、  Ｆ  フランジ部、  Ｄ  デフレクタ
【図１】
0003651552.tif 000002
【図２】
0003651552.tif 000003